(57)【要約】【課題】出力対象として指定された部分画像が予め定められた画質よりも低画質で出力されるという事態の発生を抑制する画像読取装置、画像処理システム及びプログラムを提供する。【解決手段】低解像度切取画像の出力先の出力解像度が低解像度切取画像の解像度よりも高い場合（ステップ１５２：Ｙ）、切取画像対応領域が低解像度切取画像の解像度よりも高い解像度で読み取り（ステップ１５４〜１６４）、読み取って得た高解像度切取画像を出力先に出力する（ステップ１８０）。【選択図】図１３
2013175934.tif 000002
【特許請求の範囲】
【請求項１】
被読取対象領域を異なる解像度で読み取る読取手段と、
前記異なる解像度のうちの相対的に低い解像度で前記被読取対象領域を読み取って得られた低解像度画像に含まれる画像領域を指定する指定手段と、
前記指定手段によって指定された画像領域の画像を示す画像情報の出力先の出力解像度が画質を低下させる予め定められた解像度である場合、前記指定手段によって指定された画像領域が前記低解像度画像の解像度よりも高い解像度で読み取られるように前記読取手段を制御する制御手段と、
を含む画像読取装置。
【請求項２】
前記出力解像度が前記予め定められた解像度である場合を、前記出力解像度が前記指定手段によって指定された画像領域の解像度よりも高い場合とした請求項１に記載の画像読取装置。
【請求項３】
前記指定手段によって指定された画像領域を拡大する拡大手段を更に含み、
前記画像情報を、前記拡大手段によって拡大された画像領域の画像を示す画像情報とした請求項１又は請求項２に記載の画像読取装置。
【請求項４】
前記出力先を画像形成装置とし、
前記出力解像度を、前記画像形成装置における基準解像度及び前記画像形成装置によって形成される画像の大きさに基づいて導出された出力解像度とした請求項１〜請求項３の何れか１項に記載の画像読取装置。
【請求項５】
前記制御手段は、前記出力解像度が前記予め定められた解像度であり、且つ、前記低解像度画像の解像度よりも高い解像度であって前記出力解像度に適応する解像度が前記異なる解像度に存在する場合、前記指定手段によって指定された前記画像領域が、前記適応する解像度で読み取られるように前記読取手段を制御する請求項１〜請求項４の何れか１項に記載の画像読取装置。
【請求項６】
前記読取手段は、前記被読取対象領域を各々異なる解像度で読み取る複数の読取部を含み、
前記複数の読取部の各々は、前記被読取対象領域を特定方向に沿って読み取り、
前記複数の読取部のうちの相対的に高解像度の読取部の前記特定方向の読取範囲を、相対的に低解像度の読取部の前記特定方向の読取範囲よりも狭くした請求項１〜請求項５の何れか１項に記載の画像読取装置。
【請求項７】
前記複数の読取部の各々を別体とし、
前記複数の読取部のうちの最低解像度の読取部以外の読取部を前記特定方向に沿って自在に移動させる移動手段を更に含み、
前記制御手段は、前記出力解像度が前記予め定められた解像度である場合、前記指定手段によって指定された前記画像領域が前記複数の読取部のうちの前記低解像度画像の解像度よりも高い解像度で読み取る前記読取部の前記特定方向の読取範囲に含まれるように前記移動手段を制御すると共に、前記指定手段によって指定された前記画像領域が前記移動手段によって移動された前記読取部によって読み取られるように制御する請求項６に記載の画像読取装置。
【請求項８】
前記制御手段は、前記出力解像度が前記予め定められた解像度であり、且つ、前記指定手段によって指定された前記画像領域の大きさが前記複数の読取部のうちの前記低解像度画像の解像度よりも高い解像度で読み取る読取部の１回の前記特定方向に沿った読取動作による読取範囲に含まれない場合、前記指定手段によって指定された前記画像領域が前記複数の読取部のうちの前記低解像度画像の解像度よりも高い解像度で読み取る読取部による複数回の読取動作を通して読取範囲に含まれるように前記移動手段を制御すると共に、前記指定手段によって指定された前記画像領域が前記移動手段によって移動される前記読取部の複数回の読取動作によって読み取られるように制御する請求項７に記載の画像読取装置。
【請求項９】
前記制御手段は、前記指定手段によって指定された前記画像領域が複数回の前記読取動作によって読み取られる場合、前記指定手段によって指定された前記画像領域の一部が隣接する回を跨ぐ前記読取動作によって重複して読み取られるように前記移動手段を制御すると共に、隣接する回を跨ぐ前記読取動作によって読み取られて得られた一方の前記高解像度画像における他方の前記高解像度画像との重複部分を消去するように制御し、前記重複部分が消去された前記一方の高解像度画像及び前記他方の高解像度画像が前記出力先に出力されるように制御する請求項８に記載の画像読取装置。
【請求項１０】
被読取対象領域を異なる解像度で読み取る読取手段と、前記異なる解像度のうちの相対的に低い解像度で前記被読取対象領域を読み取って得られた低解像度画像に含まれる画像領域を指定する指定手段と、前記指定手段によって指定された画像領域の画像を示す画像情報の出力先の出力解像度が画質を低下させる予め定められた解像度である場合、前記指定手段によって指定された画像領域が前記低解像度画像の解像度よりも高い解像度で読み取られるように前記読取手段を制御する制御手段と、を有する画像読取装置と、
前記出力先に相当し、前記画像読取装置から出力された前記高解像度画像を記録媒体に形成する画像形成装置と、
を含む画像処理システム。
【請求項１１】
被読取対象領域を異なる解像度で読み取る読取手段と、前記異なる解像度のうちの相対的に低い解像度で前記被読取対象領域を読み取って得られた低解像度画像に含まれる画像領域を指定する指定手段と、を含む画像読取装置を制御するコンピュータを、
前記指定手段によって指定された画像領域の画像を示す画像情報の出力先の出力解像度が画質を低下させる予め定められた解像度である場合、前記指定手段によって指定された画像領域が前記低解像度画像の解像度よりも高い解像度で読み取られるように前記読取手段を制御する制御手段として機能させるためのプログラム。
【発明の詳細な説明】
【技術分野】
【０００１】
本発明は、画像読取装置、画像処理システム及びプログラムに関する。
【背景技術】
【０００２】
特許文献１には、原稿の全体を低解像度で撮影してプレビュー画像を取得し、取得したプレビュー画像から特定領域を指定し、指定した特定領域を高解像度で再撮影する画像読取装置が開示されている。
【先行技術文献】
【特許文献】
【０００３】
【特許文献１】特開２００１−２９２３０４号公報
【発明の概要】
【発明が解決しようとする課題】
【０００４】
本発明の課題は、出力対象として指定された部分画像が予め定められた画質よりも低画質で出力されるという事態の発生を抑制する画像読取装置、画像処理システム及びプログラムを提供することである。
【課題を解決するための手段】
【０００５】
上記課題を解決するために、請求項１に記載の画像読取装置を、被読取対象領域を異なる解像度で読み取る読取手段と、前記異なる解像度のうちの相対的に低い解像度で前記被読取対象領域を読み取って得られた低解像度画像に含まれる画像領域を指定する指定手段と、前記指定手段によって指定された画像領域の画像を示す画像情報の出力先の出力解像度が画質を低下させる予め定められた解像度である場合、前記指定手段によって指定された画像領域が前記低解像度画像の解像度よりも高い解像度で読み取られるように前記読取手段を制御する制御手段と、を含んで構成した。
【０００６】
請求項１に記載の画像読取装置を、請求項２に記載の発明のように、前記出力解像度が前記予め定められた解像度である場合を、前記出力解像度が前記指定手段によって指定された画像領域の解像度よりも高い場合としたものとした。
【０００７】
請求項１又は請求項２に記載の画像読取装置を、請求項３に記載の発明のように、前記指定手段によって指定された画像領域を拡大する拡大手段を更に含み、前記画像情報を、前記拡大手段によって拡大された画像領域の画像を示す画像情報としたものとした。
【０００８】
請求項１〜請求項３の何れか１項に記載の画像読取装置を、請求項４に記載の発明のように、前記出力先を画像形成装置とし、前記出力解像度を、前記画像形成装置における基準解像度及び前記画像形成装置によって形成される画像の大きさに基づいて導出された出力解像度としたものとした。
【０００９】
請求項１〜請求項４の何れか１項に記載の画像読取装置を、請求項５に記載の発明のように、前記制御手段が、前記出力解像度が前記予め定められた解像度であり、且つ、前記低解像度画像の解像度よりも高い解像度であって前記出力解像度に適応する解像度が前記異なる解像度に存在する場合、前記指定手段によって指定された前記画像領域が、前記適応する解像度で読み取られるように前記読取手段を制御するものとした。
【００１０】
請求項１〜請求項５の何れか１項に記載の画像読取装置を、請求項６に記載の発明のように、前記読取手段が、前記被読取対象領域を各々異なる解像度で読み取る複数の読取部を含み、前記複数の読取部の各々が、前記被読取対象領域を特定方向に沿って読み取り、前記複数の読取部のうちの相対的に高解像度の読取部の前記特定方向の読取範囲を、相対的に低解像度の読取部の前記特定方向の読取範囲よりも狭くしたものとした。
【００１１】
請求項６に記載の画像読取装置を、請求項７に記載の発明のように、前記複数の読取部の各々を別体とし、前記複数の読取部のうちの最低解像度の読取部以外の読取部を前記特定方向に沿って自在に移動させる移動手段を更に含み、前記制御手段が、前記出力解像度が前記予め定められた解像度である場合、前記指定手段によって指定された前記画像領域が前記複数の読取部のうちの前記低解像度画像の解像度よりも高い解像度で読み取る前記読取部の前記特定方向の読取範囲に含まれるように前記移動手段を制御すると共に、前記指定手段によって指定された前記画像領域が前記移動手段によって移動された前記読取部によって読み取られるように制御するものとした。
【００１２】
請求項７に記載の画像読取装置を、請求項８に記載の発明のように、前記制御手段が、前記出力解像度が前記予め定められた解像度であり、且つ、前記指定手段によって指定された前記画像領域の大きさが前記複数の読取部のうちの前記低解像度画像の解像度よりも高い解像度で読み取る読取部の１回の前記特定方向に沿った読取動作による読取範囲に含まれない場合、前記指定手段によって指定された前記画像領域が前記複数の読取部のうちの前記低解像度画像の解像度よりも高い解像度で読み取る読取部による複数回の読取動作を通して読取範囲に含まれるように前記移動手段を制御すると共に、前記指定手段によって指定された前記画像領域が前記移動手段によって移動される前記読取部の複数回の読取動作によって読み取られるように制御するものとした。
【００１３】
請求項８に記載の画像読取装置を、請求項９に記載の発明のように、前記制御手段が、前記指定手段によって指定された前記画像領域が複数回の前記読取動作によって読み取られる場合、前記指定手段によって指定された前記画像領域の一部が隣接する回を跨ぐ前記読取動作によって重複して読み取られるように前記移動手段を制御すると共に、隣接する回を跨ぐ前記読取動作によって読み取られて得られた一方の前記高解像度画像における他方の前記高解像度画像との重複部分を消去するように制御し、前記重複部分が消去された前記一方の高解像度画像及び前記他方の高解像度画像が前記出力先に出力されるように制御するものとした。
【００１４】
上記課題を解決するために、請求項１０に記載の画像処理システムを、被読取対象領域を異なる解像度で読み取る読取手段と、前記異なる解像度のうちの相対的に低い解像度で前記被読取対象領域を読み取って得られた低解像度画像に含まれる画像領域を指定する指定手段と、前記指定手段によって指定された画像領域の画像を示す画像情報の出力先の出力解像度が画質を低下させる予め定められた解像度である場合、前記指定手段によって指定された画像領域が前記低解像度画像の解像度よりも高い解像度で読み取られるように前記読取手段を制御する制御手段と、を有する画像読取装置と、前記出力先に相当し、前記画像読取装置から出力された前記高解像度画像を記録媒体に形成する画像形成装置と、を含んで構成した。
【００１５】
上記課題を解決するために、請求項１１に記載のプログラムを、被読取対象領域を異なる解像度で読み取る読取手段と、前記異なる解像度のうちの相対的に低い解像度で前記被読取対象領域を読み取って得られた低解像度画像に含まれる画像領域を指定する指定手段と、を含む画像読取装置を制御するコンピュータを、前記指定手段によって指定された画像領域の画像を示す画像情報の出力先の出力解像度が画質を低下させる予め定められた解像度である場合、前記指定手段によって指定された画像領域が前記低解像度画像の解像度よりも高い解像度で読み取られるように前記読取手段を制御する制御手段として機能させるためのものとした。
【発明の効果】
【００１６】
請求項１、請求項１０及び請求項１１に係る発明によれば、指定された画像領域の画像を示す画像情報の出力先の出力解像度が画質を低下させる予め定められた解像度である場合、指定された画像領域が低解像度画像の解像度よりも高い解像度で読み取る構成を有しない場合に比べ、出力対象として指定された部分画像が予め定められた画質よりも低画質で出力されるという事態の発生が抑制される、という効果が得られる。
【００１７】
請求項２に係る発明によれば、出力解像度が前記指定手段によって指定された画像領域の解像度よりも高い場合、指定された画像領域が低解像度画像の解像度よりも高い解像度で読み取る構成を有しない場合に比べ、出力対象として指定された部分画像が予め定められた画質よりも低画質で出力されるという事態の発生が抑制される、という効果が得られる。
【００１８】
請求項３に係る発明によれば、出力先に出力される画像情報を、拡大された画像領域の画像を示す画像情報とし、画像情報の出力先の出力解像度が画質を低下させる予め定められた解像度である場合、指定された画像領域が低解像度画像の解像度よりも高い解像度で読み取る構成を有しない場合に比べ、出力先で最終的に出力される画像の画質が良好になる、という効果が得られる。
【００１９】
請求項４に係る発明によれば、出力解像度を、出力先の画像形成装置における基準解像度及び画像形成装置によって形成される画像の大きさに基づいて導出された出力解像度とし、画像情報の出力先の出力解像度が画質を低下させる予め定められた解像度である場合、指定された画像領域が低解像度画像の解像度よりも高い解像度で読み取る構成を有しない場合に比べ、画像形成装置で最終的に形成される画像の画質が良好になる、という効果が得られる。
【００２０】
請求項５に係る発明によれば、出力解像度が予め定められた解像度であり、且つ、低解像度画像の解像度よりも高い解像度であって出力解像度に適応する解像度が存在する場合、指定された画像領域を、適応する解像度で読み取る構成を有しない場合に比べ、出力先で最終的に出力される画像の画質が良好になる、という効果が得られる。
【００２１】
請求項６に係る発明によれば、被読取対象領域を各々異なる解像度で読み取る複数の読取部の各々が、被読取対象領域を特定方向に沿って読み取り、複数の読取部のうちの相対的に高解像度の読取部の特定方向の読取範囲を、相対的に低解像度の読取部の特定方向の読取範囲よりも狭くしたものとした構成を有しない場合に比べ、出力先で最終的に出力される画像の高画質化が低コストで実現される、という効果が得られる。
【００２２】
請求項７に係る発明によれば、指定された画像領域が複数の読取部のうちの低解像度画像の解像度よりも高い解像度で読み取る読取部の特定方向の読取範囲に含まれるように読取部を移動させる構成を有しない場合に比べ、指定された画像領域が的確に読み取られる、という効果が得られる。
【００２３】
請求項８に係る発明によれば、指定された画像領域が複数の読取部のうちの前記低解像度画像の解像度よりも高い解像度で読み取る読取部による複数回の読取動作を通して読取範囲に含まれるように読取部を移動させる構成を有しない場合に比べ、指定された画像領域が１回の読取動作で読み取られない大きさであったとしても、指定された画像領域が的確に読み取られる、という効果が得られる。
【００２４】
請求項９に係る発明によれば、指定された画像領域の一部が隣接する回を跨ぐ読取動作によって重複して読み取られるように読取部を移動させると共に、隣接する回を跨ぐ読取動作によって読み取られて得られた一方の高解像度画像における他方の高解像度画像との重複部分を消去する構成を有しない場合に比べ、出力先で最終的に出力される画像の画質が良好になる、という効果が得られる。
【図面の簡単な説明】
【００２５】
【図１】実施の形態に係る画像読取形成装置の構成の一例を示す構成図である。
【図２】実施の形態に係る画像読取形成装置に含まれる画像形成エンジン部の構成の一例を示す構成図である。
【図３Ａ】実施の形態に係る画像読取形成装置に含まれる画像読取部の斜視図である。
【図３Ｂ】実施の形態に係る画像読取形成装置に含まれる画像読取部の断面図である。
【図４Ａ】実施の形態に係る画像読取形成装置に含まれる移動機構の構成の一例を示す側面視概略構成図である。
【図４Ｂ】実施の形態に係る画像読取形成装置に含まれる移動機構の構成の一例を示す正面視概略構成図である。
【図５】実施の形態に係る画像読取形成装置の電気系の構成の一例を示すブロック図である。
【図６】実施の形態に係る画像読取形成装置に含まれる画像読取部の読取対象とされる原稿の内容の一例を示す概略図である。
【図７】図６に示す破線矩形枠内を従前の画像読取形成装置で読み取って最終的に出力された画像の一例を示す概略図である。
【図８】実施の形態に係る切取編集受付処理プログラムの処理の流れの一例を示すフローチャートである。
【図９】実施の形態に係る高画質出力受付処理プログラムの処理の流れの一例を示すフローチャートである。
【図１０】実施の形態に係る画像読取処理プログラムの処理の流れの一例を示すフローチャートである。
【図１１】実施の形態に係る画像読取形成装置に含まれるＵＩパネルに表示された切取編集画面の一例を示す概略図である。
【図１２】実施の形態に係る画像読取形成装置に含まれるＵＩパネルに表示された倍率指定画面の一例を示す概略図である。
【図１３】図１０に示すフローチャートの続きである。
【図１４Ａ】実施の形態に係る画像読取形成装置に含まれるＵＩパネルに表示された切取対象領域に対応する切取画像領域のプレビュー画面上における位置情報を取得する方法の説明に供する模式図である。
【図１４Ｂ】図１４Ａに示す切取画像領域に対応する切取画像対応領域のプラテンガラス上に二次元座標を導出する方法の説明に供する模式図である。
【図１５】従前の方法によって、切取画像対応領域について部分的に重複して読み取られて最終的な画像が形成されるまでの過程の一例を示す過程図である。
【図１６】従前の方法によって、切取画像対応領域について部分的に読み取られずに最終的な画像が形成されるまでの過程の一例を示す過程図である。
【図１７】実施の形態に係る画像読取形成装置による読取方法の一例を示す過程図である。
【図１８】実施の形態に係る画像読取形成装置によって図６に示す破線矩形枠内を読み取って最終的に出力される画像の一例を示す図である。
【発明を実施するための形態】
【００２６】
以下、図面を参照して本発明の実施の形態の一例を詳細に説明する。
【００２７】
図１には本実施の形態に係る画像読取形成装置１０が示されている。図１に示すように、画像読取形成装置１０は、原稿の被読取対象領域に記録されている画像を読み取る画像読取部１２と、画像読取部１２の下部に配置された画像形成部１４と、を備えている。画像形成部１４では、画像読取部１２で読み取られた画像を示す画像情報に基づいて画像形成が行われる。また、画像読取部１２の上部には、画像読取部１２の開閉蓋を兼用する原稿搬送装置１６が設けられている。原稿搬送装置１６は、ヒンジ（図示省略）を介して画像読取部１２に対して接近又は離間する方向へ回転自在に設けられている。原稿搬送装置１６は、画像読取部１２の後述するプラテンガラス２２と対向する面が白色面とされている。この白色面の反射率は全面にわたって統一されており、白色面でプラテンガラス２２が遮蔽され、原稿搬送装置１６が画像読取部１２と離間する方向へ回転されるとプラテンガラス２２が露出される。
【００２８】
原稿搬送装置１６には、読取対象の原稿を（複数枚の場合は重ねて）載せる載せ台１８が設けられている。また、載せ台１８の下方には、載せ台１８から送り込まれて読み取られた原稿が排出される排紙受け２０が設けられている。ここで、原稿搬送装置１６及び画像読取部１２では、載せ台１８上に載せられた原稿（複数枚重ねられている場合は、その最上層の原稿）が、原稿反転ユニット（図示省略）へ送り込まれ、反転しながら画像読取部１２のプラテンガラス２２（図３（ａ）参照。）上の読取領域を通過し、排紙受け２０上に排出されることにより、原稿の読み取りが行われる。
【００２９】
画像形成部１４は、下部に３段に渡って配設された給紙箱２６と、給紙箱２６の上部に配置され画像形成を行う画像形成エンジン部１２０と、を備えている。
【００３０】
画像読取部１２には、ＵＩパネル２４Ａ及び受付部２４Ｂを含んで構成された操作パネル２４が配設されている。ＵＩパネル２４Ａは、ディスプレイ上に透過型のタッチパネルが重ねられたタッチパネルディスプレイを含んで構成され、各種情報がディスプレイの表示面に表示されると共に、ユーザがタッチパネルに触れることにより各種情報や指示を受け付ける。受付部２４Ｂは、ユーザが原稿読取、或いは複写指示等を入力操作するためのテンキー、スタートボタン等を備え、テンキー、スタートボタン等が利用者によって操作されることにより画像読取形成装置１０の作動を制御するための指示を受け付ける。なお、本実施の形態に係る画像読取形成装置１０では、画像読取部１２による読取対象とされる原稿の被読取対象領域の範囲（例えばＡ４やＢ５等という規格化された定型サイズ）は、操作パネル２４を介して指定される。また、画像が形成される記録用紙のサイズも操作パネル２４を介して指定され、これによって選択的に給紙箱２６から記録用紙が給紙装置（図示省略）によって１枚ずつ引き出され、画像形成エンジン部１２０に搬送される。また、画像形成エンジン部１２０の記録解像度の設定及び最終的に出力される画像のサイズ（例えばＡ４やＢ５等という規格化された定型サイズ）の設定も操作パネル２４を介して指定される。
【００３１】
図２には、本実施の形態に係る画像形成エンジン部１２０が示されている。同図に示すように、画像形成エンジン部１２０は、本体を構成する筐体１２２に露光装置１２４が固定されており、露光装置１２４に隣接する位置に、画像読取形成装置１０の各部の動作を制御する制御ユニット４２が設けられている。
【００３２】
露光装置１２４は、画像読取部１２で読み取られた画像を示す画像情報に基づいて、図示しない光源から出射された光ビームを回転多面鏡（ポリゴンミラー）で走査し、反射ミラー等の複数の光学部品で反射して、イエロー（Ｙ）、マゼンタ（Ｍ）、シアン（Ｃ）、及びブラック（Ｋ）の各トナーに対応した光ビーム１２６Ｙ，１２６Ｍ，１２６Ｃ，１２６Ｋを出射するようになっている。光ビーム１２６Ｙ，１２６Ｍ，１２６Ｃ，１２６Ｋは、それぞれ対応する各感光体ドラム１２８Ｙ，１２８Ｍ，１２８Ｃ，１２８Ｋに導かれる。
【００３３】
画像形成エンジン部１２０の下方側には、前述の給紙箱２６が配設されており、給紙箱２６の上方には、記録媒体としての記録用紙Ｐの先端部位置を調整する一対の位置合わせロール１２９が設けられている。また、画像形成エンジン部１２０の中央には、画像形成ユニット１３０が設けられている。画像形成ユニット１３０は、前述の４つの感光体ドラム１２８Ｙ，１２８Ｍ，１２８Ｃ，１２８Ｋを備えており、これらが上下一列に並んでいる。
【００３４】
感光体ドラム１２８Ｙ，１２８Ｍ，１２８Ｃ，１２８Ｋの回転方向上流側には、感光体ドラム１２８Ｙ，１２８Ｍ，１２８Ｃ，１２８Ｋの表面を帯電する帯電ローラ１３２Ｙ，１３２Ｍ，１３２Ｃ，１３２Ｋが設けられている。また、感光体ドラム１２８Ｙ，１２８Ｍ，１２８Ｃ，１２８Ｋの回転方向下流側には、Ｙ，Ｍ，Ｃ，Ｋの各トナーをそれぞれ感光体ドラム１２８Ｙ，１２８Ｍ，１２８Ｃ，１２８Ｋに現像する現像器１３４Ｙ，１３４Ｍ，１３４Ｃ，１３４Ｋが設けられている。
【００３５】
一方、感光体ドラム１２８Ｙ，１２８Ｍには第１中間転写体１３６が接触し、感光体ドラム１２８Ｃ，１２８Ｋには第２中間転写体１３８が接触している。そして、第１中間転写体１３６及び第２中間転写体１３８には第３中間転写体１４０が接触している。第３中間転写体１４０と対向する位置には、転写ロール１４２が設けられている。転写ロール１４２は、第３中間転写体１４０との間に記録用紙Ｐが搬送されると、第３中間転写体１４０上のトナー像を記録用紙Ｐに転写させる。
【００３６】
記録用紙Ｐが搬送される用紙搬送路１４４の下流には、定着装置１４６が設けられている。定着装置１４６は、定着ロール１４８と加圧ロール１５０を有しており、記録用紙Ｐを加熱・加圧してトナー像を記録用紙Ｐに定着させる。トナー像が定着された記録用紙Ｐは、用紙搬送ロール１５２で画像形成部１２０の上部に設けられた排紙受け２８に排出される。
【００３７】
次に、画像形成エンジン部１２０の画像形成について説明する。
【００３８】
画像形成エンジン部１２０に対しての画像形成が指示されると、各感光体ドラム１２８Ｙ，１２８Ｍ，１２８Ｃ，１２８Ｋの表面が帯電ローラ１３２Ｙ，１３２Ｍ，１３２Ｃ，１３２Ｋによって一様に帯電される。露光装置１２４から出力画像に対応した光ビーム１２６Ｙ，１２６Ｍ，１２６Ｃ，１２６Ｋが、帯電後の感光体ドラム１２８Ｙ，１２８Ｍ，１２８Ｃ，１２８Ｋの表面に照射され、感光体ドラム１２８Ｙ，１２８Ｍ，１２８Ｃ，１２８Ｋの各表面に各色分解画像に応じた静電潜像が形成される。この静電潜像に対して、現像器１３４Ｙ，１３４Ｍ，１３４Ｃ，１３４Ｋが選択的に各色、すなわちＹ，Ｍ，Ｃ，Ｋのトナーを付与し、感光体ドラム１２８Ｙ，１２８Ｍ，１２８Ｃ，１２８Ｋ上にＹ，Ｍ，Ｃ，Ｋ色のトナー像が形成される。
【００３９】
その後、マゼンタ用の感光体ドラム１２８Ｍから第１中間転写体１３６にマゼンタのトナー像が一次転写される。また、イエロー用の感光体ドラム１２８Ｙから第１中間転写体１３６にイエローのトナー像が一次転写され、第１中間転写体１３６上で前記マゼンタのトナー像に重ね合わされる。
【００４０】
一方、同様にブラック用の感光体ドラム１２８Ｋから第２中間転写体１３８にブラックのトナー像が一次転写される。また、シアン用の感光体ドラム１２８Ｃから第２中間転写体１３８にシアンのトナー像が一次転写され、第２中間転写体１３８上で前記ブラックのトナー像に重ね合わされる。
【００４１】
第１中間転写体１３６へ一次転写されたマゼンタとイエローのトナー像は、第３中間転写体１４０へ二次転写される。一方、第２中間転写体１３８へ一次転写されたブラックとシアンのトナー像も、第３中間転写体１４０へ二次転写される。ここで、先に二次転写されているマゼンタ、イエローのトナー像と、シアン、ブラックのトナー像とが重ね合わされ、カラートナー像が第３中間転写体１４０上に形成される。
【００４２】
二次転写されたカラートナー像は、第３中間転写体１４０と転写ロール１４２との間のニップ部に達する。そのタイミングに同期して、位置合わせロール１２９から記録用紙Ｐが当該ニップ部分に搬送され、記録用紙Ｐ上にカラートナー像が三次転写（最終転写）される。
【００４３】
この記録用紙Ｐは、その後、定着装置１４６に送られ、定着ロール１４８と加圧ロール１５０とのニップ部を通過する。その際、定着ロール１４８と加圧ロール１５０とから与えられる熱と圧力との作用により、カラートナー像が記録用紙Ｐに定着される。定着後、記録用紙Ｐは用紙搬送ロール１５２により排紙受け２８に排出され、記録用紙Ｐへのカラー画像形成が終了する。
【００４４】
図３Ａ及び図３Ｂには、本実施の形態に係る画像読取部１２が示されている。図３Ａ及び図３Ｂに示すように、画像読取部１２の本体を構成するケース１３の上面には略矩形状の開口（本実施の形態では、Ａ３サイズの原稿よりも大きな開口）が形成されており、当該開口に原稿３１が載置されるプラテンガラス２２が嵌め込まれている。なお、原稿搬送装置１６の載せ台１８を要しない製本原稿等を直接プラテンガラス２２に載せて複写する場合は、原稿搬送装置１６を上方へ開放することになる。また、本実施の形態に係る画像読取部１２では、プラテンガラス２２として無色透明なガラス板を適用しているが、これに限らず、透光性を有する原稿台であればよい。
【００４５】
プラテンガラス２２の下部の装置内空間部には、原稿３１の読み取りを行う走査ユニット３２が配設されている。走査ユニット３２は、画像読取形成装置１０の正面から奥側に向かう方向を長手方向（主走査方向）として原稿３１に向けて発光する格子状に並べられた複数のＬＥＤ（Light Emitting Diode）３４ａから構成された光照射装置３４と、光照射装置３４により原稿３１に対して光を照射した際に原稿３１で反射された光Ｌを反射する複数のミラーからなる反射部３６と、反射部３６で反射された光Ｌを集光するレンズからなる集光部３８と、各々集光部３８で集光された光Ｌを受光素子で受光（結像）して電気信号を出力する低解像度読取装置４０Ａ及び高解像度読取装置４０Ｂと、を備えている。本実施の形態に係る低解像度読取装置４０Ａ及び高解像度読取装置４０Ｂの各々は、複数の受光素子が直線状に配列されて構成されたラインセンサとされている。具体的には、低解像度読取装置４０Ａ及び高解像度読取装置４０Ｂとして、受光素子の一例であるＣＣＤ撮像素子が直線状に配列されて構成されたＣＣＤ（Charge Coupled Device)ラインセンサを適用している。そして、高解像度読取装置４０Ｂとして適用されているＣＣＤラインセンサの読取解像度は低解像度読取装置４０Ａとして適用されているＣＣＤラインセンサよりも高い。具体的には、高解像度読取装置４０Ｂとして適用されているＣＣＤラインセンサの読取解像度は１８００ｄｐｉであり、低解像度読取装置４０Ａとして適用されているＣＣＤラインセンサの読取解像度は６００ｄｐｉである。なお、以下では、低解像度読取装置４０Ａ及び高解像度読取装置４０Ｂを区別して説明する必要がない場合は「読取装置４０」と称する。
【００４６】
読取装置４０は、画像読取形成装置１０の本体内に設けられた前述の制御ユニット４２に接続されている。なお、反射部３６で複数のミラーにより光Ｌを折り返すのは、読取装置４０への結像に予め定められた光路長を必要とするためである。なお、本実施の形態に係る光照射装置３４の走査範囲は、Ａ３サイズの原稿３１よりも広いものとされている。
【００４７】
ここで、走査ユニット３２が、読取装置４０に含まれる受光素子が配列されている方向（読取方向）である主走査方向（Ｙ方向）と直交する方向（副走査方向：Ｘ方向）に移動することで、光照射装置３４からの光が、原稿３１に記録されている画像にライン状に照射される。続いて、原稿３１からの反射光が、反射部３６及び集光部３８を介して読取装置４０で受光される。読取装置４０では、光電変換によって画像濃度に応じた電気信号を制御ユニット４２に出力する。そして、制御ユニット４２では、得られた電気信号に基づいて照射領域の画像濃度を検出する。このようにして、原稿３１の画像の読み取りが行われる。
【００４８】
一方、プラテンガラス２２の周囲には、略矩形状の枠からなる原稿セットガイド３０が設けられている。原稿セットガイド３０は、プラテンガラス２２より僅かな凸状の段差となっており、原稿セットガイド３０の段差に接するように原稿３１の角部を合わせることにより、容易に原稿３１の位置決めが行われる。原稿セットガイド３０の上面には、原稿セットガイド３０の角部に原稿３１の角部を合わせるときの目印となる位置合わせマーク（図示省略）と、当該位置合わせマークに角部を合わせて定型サイズ（本実施の形態では、Ｂ５，Ａ４，Ｂ４，Ａ３）の原稿３１がプラテンガラス２２に載せられたときの原稿３１の端部の位置を示す原稿サイズラベル（図示省略）と、が設けられている。なお、以下では、定型サイズの原稿３１を「定型原稿」と称する。
【００４９】
原稿セットガイド３０の周囲で画像読取形成装置１０の奥側（図の上方）には、原稿搬送装置１６の底面側に設けられたヒンジ（図示省略）が固定される固定部４４Ａ、４４Ｂが設けられている。
【００５０】
図４Ａ及び図４Ｂには本実施の形態に係る低解像度読取装置４０Ａ及び高解像度読取装置４０Ｂの一例が示されている。なお、図４Ａは、低解像度読取装置４０Ａ及び高解像度読取装置４０Ｂを側方（Ｙ方向）から見た概略側面図であり、図４Ｂは、低解像度読取装置４０Ａ及び高解像度読取装置４０Ｂを正面（Ｘ方向）から見た概略正面図である。なお、図４Ａ及び図４Ｂに示すＺ方向とは、Ｘ方向及びＹ方向に直交する方向のことである。
【００５１】
図４Ａ及び図４Ｂに示すように、低解像度読取装置４０Ａ及び高解像度読取装置４０ＢはＺ方向に並んで配置されている。低解像度読取装置４０Ａの読取範囲（本実施の形態では、受光素子の配列方向の長さ）は最大の定型サイズの幅よりも長く、高解像度読取装置４０Ｂの読取範囲は低解像度読取装置４０Ａの読取範囲の１／３とされている。そして、低解像度読取装置４０Ａによる読み取りを実施する場合、低解像度読取装置４０Ａが原稿３１からの反射光を受光する読取実施位置に配置され、高解像度読取装置４０Ｂが原稿３１からの反射光を受光しない第１退避位置に配置される。逆に、高解像度読取装置４０Ｂによる読み取りを実施する場合、高解像度読取装置４０Ｂが読取実施位置に配置され、低解像度読取装置４０Ａが原稿３１からの反射光を受光しない第２退避位置に配置される。第１退避位置は読取実施位置の上方に設けられ、第２退避位置は読取実施位置の下方に設けられている。
【００５２】
低解像度読取装置４０Ａ及び高解像度読取装置４０Ｂは移動機構４１に取り付けられている。図４Ａに示す例では、移動機構４１が支持体４１Ａを介して低解像度読取装置４０Ａを、支持体４１Ｂを介して高解像度読取装置４０Ｂを各々支持している。移動機構４１は、低解像度読取装置４０Ａ及び高解像度読取装置４０Ｂの各々を、駆動源から供給された駆動力を受けて摺動させる摺動機構（図示省略）を備えている。具体的には、移動機構４１は、低解像度読取装置４０ＡをＺ方向に沿って読取実施位置と第２退避位置との２位置間で摺動させるように構成されている。また、移動機構４１は、高解像度読取装置４０ＢをＺ方向に沿って読取実施位置と第１退避位置との２位置間で摺動させるように構成されている。すなわち、高解像度読取装置４０Ｂは、低解像度読取装置４０Ａが読取実施位置に配置された場合に移動機構４１によって第１退避位置に配置され、低解像度読取装置４０Ａが第２退避位置に退避した場合に移動機構４１によって読取実施位置に配置される。
【００５３】
低解像度読取装置４０Ａは、Ｙ方向に対して固定されているのに対し、高解像度読取装置４０ＢはＹ方向に移動する。すなわち、移動機構４１は、高解像度読取装置４０Ｂを読取実施位置においてＹ方向に摺動させるように構成されている。高解像度読取装置４０Ｂの読取実施位置における基準となる位置（以下、「ホームポジション」という）は、高解像度読取装置４０Ｂに含まれる複数の受光素子のうちの読取方向における読取始点に位置する受光素子と低解像度読取装置４０Ａに含まれる複数の受光素子のうちの読取方向における読取始点に位置する受光素子とが揃う位置とされている。
【００５４】
移動機構４１には第１モータＭ１及び第２モータＭ２が設けられている。移動機構４１は、第１モータＭ１の駆動力を受けて、低解像度読取装置４０Ａ及び高解像度読取装置４０ＢをＺ方向に摺動させ、第２モータＭ２の駆動力を受けて、高解像度読取装置４０ＢをＹ方向に摺動させる。
【００５５】
図５は、本実施の形態に係る画像読取形成装置１０の電気系の要部構成を示すブロック図である。同図に示すように、画像読取形成装置１０は、ＣＰＵ（中央処理装置）７０、ＲＯＭ（Read Only Memory）７２、ＲＡＭ（Random Access Memory）７４、ＮＶＭ（Non Volatile Memory)７６、及び外部インタフェース８０を含んで構成されている。なお、前述した制御ユニット４２は、ＣＰＵ７０、ＲＯＭ７２、ＲＡＭ７４、ＮＶＭ７６、及び外部インタフェース８０を含んで構成されている。
【００５６】
ＣＰＵ７０は、画像読取形成装置１０全体の動作を司るものである。ＲＯＭ７２は、画像読取形成装置１０の作動を制御する制御プログラム、後述する切取編集受付処理プログラムや高画質出力受付処理プログラム、画像読取処理プログラム、各種パラメータ等を予め記憶する記憶手段として機能するものである。ＲＡＭ７４は、各種プログラムの実行時のワークエリア等として用いられるものである。ＮＶＭ７６は、装置の電源スイッチが切られても保持しなければならない各種情報を記憶するものである。外部インタフェース８０は、パーソナル・コンピュータ等の外部機器に接続され、外部機器との間で各種情報の送受信を行う。
【００５７】
ＣＰＵ７０、ＲＯＭ７２、ＲＡＭ７４、ＮＶＭ７６、及び外部インタフェース８０は、アドレスバス、データバス、及び制御バス等のバス８１を介して互いに電気的に接続されている。従って、ＣＰＵ７０は、ＲＯＭ７２、ＲＡＭ７４、ＮＶＭ７６へのアクセスと、外部機器への外部インタフェース８０を介した各種情報の送信と、外部機器からの外部インタフェース８０を介した各種情報の受信と、を各々行う。
【００５８】
また、前述した画像読取部１２、原稿搬送装置１６、画像形成エンジン部１２０、ＵＩパネル２４Ａ及び受付部２４Ｂもまた、バス８１に接続されている。従って、ＣＰＵ７０は、画像読取部１２の作動の制御と、画像読取部１２によって読み取られた画像を示す画像情報の取得と、原稿搬送装置１６の作動の制御と、画像形成エンジン部１２０の作動の制御と、ＵＩパネル２４Ａへの各種情報の表示と、ＵＩパネル２４Ａ及び受付部２４Ｂに対するユーザの操作指示内容の把握と、を各々行う。
【００５９】
また、画像読取形成装置１０は、第１モータＭ１に接続され、第１モータＭ１の駆動を制御する第１モータドライバ８２と、第２モータＭ２に接続され、第２モータＭ２の駆動を制御する第２モータドライバ８４と、を備えている。第１モータドライバ８２及び第２モータドライバ８４もまた、バス８１に接続されている。従って、ＣＰＵ７０は、第１モータドライバ８２を介した第１モータＭ１の駆動の制御と、第２モータドライバ８４を介した第２モータＭ２の駆動の制御と、を各々行う。
【００６０】
ところで、従前の画像読取記録装置では、原稿をＣＣＤラインセンサなどの読取装置で読み取って得られた画像内の指定された画像領域を切り取り、切り取った画像領域を拡大して出力すると画質が低下してしまう場合があった。例えば図６に示す破線枠内の画像を切り取って拡大して出力すると、一例として図７に示すように画質が低下して現れてしまうこととなる。この一因としては、出力先の出力解像度が読取解像度に適応しないことが挙げられる。例えば出力先の出力解像度が読取解像度よりも高解像度であることが挙げられる。
【００６１】
そこで、本実施の形態に係る画像読取形成装置１０では、被読取対象領域を読み取って得られた画像のうちの出力対象として指定された画像領域が予め定められた画質よりも低画質で出力されるという事態の発生を抑制するために、上述したように低解像度読取装置４０Ａ及び高解像度読取装置４０Ｂが設けられると共に、切取編集受付処理、高画質出力受付処理及び画像読取処理が実行される。なお、画像読取処理とは、被読取対象領域を読み取って得られた画像を出力先に出力する処理のことである。また、切取編集受付処理とは、被読取対象領域を読み取って得られた画像内から画像領域を切り取る編集を行う指示（以下、「切取編集指示」という）を受け付ける処理のことである。また、高画質出力受付処理とは、切取編集受付処理が実行されることによって受け付けられた切取編集指示に応じて切り取られた画像領域を現時点の画質よりも高画質で出力する指示（高画質出力指示）を受け付ける処理のことである。本実施の形態に係る画像読取形成装置１０では、切取編集受付処理、高画質出力受付処理及び画像読取処理は何れもコンピュータを利用してプログラムを実行することにより実現される。しかし、このようなソフトウェア構成による実現に限られるものではなく、ハードウェア構成や、ハードウェア構成とソフトウェア構成との組み合わせによって実現しても良いことは言うまでもない。
【００６２】
以下では、本実施の形態に係る画像読取形成装置１０が切取編集受付処理、高画質出力受付処理及び画像読取処理を実現する場合について説明する。この場合、上記プログラムをＲＯＭ７２に予め記憶させておく形態や、記憶内容がコンピュータによって読み取られる記録媒体に記憶された状態で提供される形態、有線または無線による通信手段を介して配信される形態等を適用しても良い。
【００６３】
次に、本実施の形態に係る画像読取形成装置１０の作用を説明する。先ず、図８を参照して、切取編集受付処理を実行した際の画像読取形成装置１０の作用を説明する。なお、図８は、ＵＩパネル２４Ａ又は受付部２４Ｂによって切取編集受付処理を実行する旨の指示が受け付けられた際にＣＰＵ７０によって実行される切取編集受付処理プログラムの処理の流れの一例を示すフローチャートである。
【００６４】
図８のステップ１００では、ＵＩパネル２４Ａ又は受付部２４Ｂを介した切取編集指示の受け付け待ちを行った後、ステップ１０２に移行する。ステップ１０２では、切取編集指示情報をＮＶＭ７６の予め定められた記憶領域αに記憶した後、本切取編集受付処理プログラムを終了する。
【００６５】
次に、図９を参照して、高画質出力受付処理を実行した際の画像読取形成装置１０の作用を説明する。なお、図９は、ＵＩパネル２４Ａ又は受付部２４Ｂによって高画質出力受付処理を実行する旨の指示が受け付けられた際にＣＰＵ７０によって実行される高画質出力受付処理プログラムの処理の流れの一例を示すフローチャートである。
【００６６】
図９のステップ１１０では、ＵＩパネル２４Ａ又は受付部２４Ｂを介した高画質出力指示の受け付け待ちを行った後、ステップ１１２に移行する。ステップ１１２では、高画質出力指示情報をＮＶＭ７６の予め定められた記憶領域βに記憶した後、本高画質出力指示受付処理プログラムを終了する。
【００６７】
次に、図１０を参照して、画像読取処理を実行した際の画像読取形成装置１０の作用を説明する。なお、図１０は、ＵＩパネル２４Ａ又は受付部２４Ｂによって画像読取処理を実行する旨の指示が受け付けられた際にＣＰＵ７０によって実行される画像読取処理プログラムの処理の流れの一例を示すフローチャートである。なお、ここでは、錯綜を回避するため、最大の定型サイズの原稿の被読取対象領域とプラテンガラス２２とが対面するように最大の定型サイズの原稿がプラテンガラス２２に載せられている場合について説明する。
【００６８】
図１０のステップ１２０では、読み取り開始の指示（読取開始指示）がＵＩパネル２４Ａ又は受付部２４Ｂによって受け付けられるまで待機した後、ステップ１２２に移行する。ステップ１２２では、低解像度読取装置４０Ａが被読取対象領域の読み取りを開始するように制御した後、ステップ１２４に移行する。ステップ１２４では、低解像度読取装置４０Ａによる読取結果に応じた画像（以下、「低解像度画像」という）を生成し、生成した低解像度画像をＲＡＭ７４の予め定められた記憶領域γに記憶した後、ステップ１２６に移行する。ステップ１２６では、被読取対象領域の全領域が低解像度読取装置４０Ａよって読み取られたか否かを判定し、否定判定となった場合には上記ステップ１２４に戻る一方、肯定判定となった場合にはステップ１２８に移行する。
【００６９】
ステップ１２８では、ＮＶＭ７６の記憶領域αに切取編集指示情報が記憶されているか否かを判定し、否定判定となった場合にはステップ１３０に移行し、ＲＡＭ７４の記憶領域γに記憶されている低解像度画像を予め定められた出力先の一例である画像形成エンジン部１２０に出力した後、本画像読取処理プログラムを終了する。画像形成エンジン部１２０は、上記ステップ１３０の処理が実行されることによって出力された低解像度画像を記録用紙Ｐに形成する。
【００７０】
一方、ステップ１２８において肯定判定となった場合には記憶領域αから切取編集指示情報を消去した後、ステップ１３２に移行する。ステップ１３２では、現時点でＲＡＭ７４の記憶領域γに記憶されている低解像度画像内の画像領域を切り取る編集を行うための各種情報を受け付ける切取編集画面をＵＩパネル２４Ａに表示した後、ステップ１３４に移行する。ステップ１３４では、現時点でＲＡＭ７４の記憶領域γに記憶されている低解像度画像内における切り取り対象とされる画像領域（以下、「切取対象領域」という）が指定されて確定されたか否かを判定し、否定判定となった場合にはステップ１３６に移行する。ステップ１３６では、切取対象領域が指定されずに本画像読取処理プログラムを続行する条件として予め定められた条件（無指定条件）を満足しているか否かを判定する。
【００７１】
図１１には、ＵＩパネル２４Ａに表示された切取編集画面の一例である切取編集画面９０が示されている。切取編集画面９０は、プレビュー画面９０Ａ及び案内画面９０Ｂを含んで構成されている。プレビュー画面９０Ａには、現時点でＲＡＭ７４の記憶領域γに記憶されている低解像度画像が表示される。案内画面９０Ｂには、プレビュー画面に表示されている低解像度画像における切取対象領域を指定して確定することを促すメッセージが表示される。また、案内画面９０Ｂには、切取対象領域を指定した後に、指定した切取対象領域を確定する場合に押下される確定ボタン、及び切取対象領域の指定を取り消す取消ボタンが表示される。ここで、プレビュー画面９０Ａに表示されている低解像度画像における切取対象領域が利用者によって指定された後に、確定ボタンが押下されると、ステップ１３４が肯定判定となってステップ１３６に移行する。なお、本実施の形態に係る画像読取形成装置１０では、プレビュー画面９０Ａに表示されている低解像度画像における切取対象領域を指定する方法として、プレビュー画面９０Ａに表示されている低解像度画像内の２点をＵＩパネル２４Ａを介して指定し、指定した２点を結ぶ線分を対角線とする四角形枠で囲まれた領域を切取対象領域として指定する、という方法を採用している。図１１に示す例では、破線矩形枠内が切取対象領域として指定されている。
【００７２】
また、案内画面９０Ｂには、切り取り編集を行わずに本画像読取処理プログラムにおける後続の処理を続行する指示の入力を促すメッセージが表示される。また、案内画面９０Ｂには、切り取り編集を行わずに本画像読取処理プログラムにおける後続の処理を続行する際に押下されるスキップボタンが表示される。ここで、利用者によってスキップボタンが押下されると、ステップ１３６が肯定判定となってステップ１４８に移行する。すなわち、本実施の形態では、上記の無指定条件として、スキップボタンが押下された、との条件を採用している。また、無指定条件としては、この他にも例えば切取編集画面９０が表示されてからＵＩパネル２４Ａによって何ら指示が受けられずに予め定められた時間（例えば３分）が経過した、との条件を採用しても良い。すなわち、切り取り編集を行う意思が利用者にないと判定する条件として予め定められた条件であれば如何なるものであっても良い。
【００７３】
ステップ１３８では、現時点でＲＡＭ７４の記憶領域γに記憶されている低解像度画像から、上記ステップ１３４で確定された切取対象領域を切り取って得た切取画像領域（以下、「低解像度切取画像」という）を、ＲＡＭ７４の予め定められた記憶領域δに位置情報と共に記憶する。ここで言う「位置情報」とは、プレビュー画面９０Ａに表示された低解像度画像における位置座標のことであり、本実施の形態では、プレビュー画面９０Ａの予め定められた角点を原点とした二次元座標で位置情報を表現している。
【００７４】
次のステップ１４０では、倍率指定画面をＵＩパネル２４Ａに表示した後、ステップ１４２に移行する。ステップ１４２では、倍率が指定されて確定されるまで待機した後、ステップ１４４に移行する。
【００７５】
図１２には、ＵＩパネル２４Ａに表示された倍率指定画面の一例である倍率指定画面９２が示されている。倍率指定画面９２は、プレビュー画面９０Ａ及び倍率案内画面９２Ａを含んで構成されている。倍率案内画面９２Ａには、倍率を指定して確定する旨を示すメッセージが表示される。また、倍率案内画面９２Ａには、複数の倍率を表す倍率ボタンが複数設けられている。図１２に示す例では、５０％の倍率を指定する際に押下される５０％倍率ボタン、７５％の倍率を指定する際に押下される７５％倍率ボタン、８５％の倍率を指定する際に押下される８５％倍率ボタン、倍率を変更しない場合（等倍の場合）に押下される１００％倍率ボタン、１２０％の倍率を指定する際に押下される１２０％倍率ボタン、及び１５０％の倍率を指定する際に押下される１５０％倍率ボタンが示されている。また、倍率案内画面９２Ａには、押下された倍率ボタンによって指定された倍率を確定する際に押下される確定ボタンが表示される。ここで、押下された倍率ボタンによって指定された倍率が確定されると、上記ステップ１４２が肯定判定となってステップ１４４に移行する。なお、倍率ボタンが指定されて確定ボタンが押下されなくても上記ステップ１４２が肯定判定となる条件として予め定められた条件（以下、「無条件等倍条件」という。）を満足した場合にステップ１４２が肯定判定となってステップ１４４に移行する。ここで言う「無条件等倍条件」の一例としては、例えば倍率指定画面９２が表示されてからＵＩパネル２４Ａによって何ら指示が受け付けられずに予め定められた時間（例えば３分）が経過した、との条件が挙げられる。
【００７６】
ステップ１４４では、上記ステップ１４２で確定された倍率が現時点で設定されている予め定められた倍率（ここでは一例として「等倍」）から変更されたか否かを判定し、肯定判定となった場合にはステップ１４６に移行する。ステップ１４６では、現時点で設定されている予め定められた倍率を上記ステップ１４２で確定された倍率に変更した後、ステップ１４８に移行する。
【００７７】
ステップ１４８では、ＮＶＭ７６の記憶領域βに高画質出力指示情報が記憶されているか否かを判定し、肯定判定となった場合には記憶領域βから高画質出力指示情報を消去してからステップ１５０に移行する。ステップ１５０では、出力先である画像形成エンジン部１２０において現時点で設定されている出力解像度を取得する。現時点で設定されている出力解像度を示す情報は画像形成エンジン部１２０から直接取得しても良いし、ＮＶＭ７６に記憶されていても良いし、外部インタフェース８０を介して外部装置から取得しても良い。
【００７８】
次のステップ１５２では、上記ステップ１５０で取得された出力解像度に出力幅を乗じて得た値（出力解像度×出力幅）が低解像度読取装置４０Ａの読取解像度（一例として６００ｄｐｉ）に読取幅を乗じて得た値（読取解像度×読取幅）よりも大きいか否かを判定する。ここで肯定判定となった場合には画素数が不足しているということなのでデジタル拡大（解像度変換）処理を行うことで結果的に画素数が増加することとなるため、画質劣化が発生する場合がある。そこで、ステップ１５４以降の処理では、そのような画質劣化の発生を抑制するための処理を実行することとなる。なお、上記ステップ１５２では、“「読取解像度×読取幅」＜「出力解像度×出力幅」”との関係が成立しているか否かを判定する処理を行っているが、これに限らず、例えば、画像形成エンジン部１２０における基準出力解像度に対して、上記ステップ１４６で変更された倍率に応じて定められる最終的に形成される画像の大きさ（出力サイズ）を乗じて得た値が、低解像度読取装置４０Ａの基準読取解像度に対して、ＲＡＭ７４の記憶領域δに記憶されている低解像度切取画像の大きさを乗じて得た値よりも大きいか否かを判定しても良い。つまり、上記ステップ１５２では、低解像度読取装置４０Ａでの読取結果を画像形成エンジン部１２０に出力した場合に、画素数が不足していることに起因して画質劣化が生じるか否かを判定する処理を実行すれば良い。
【００７９】
ステップ１５２において肯定判定となった場合にはステップ１５４に移行する。ステップ１５４では、高解像度読取装置４０Ｂが、上記ステップ１５０で取得された出力解像度に適応する読取解像度の読取装置であるか否かを判定し、肯定判定となった場合にはステップ１５６に移行する。すなわち、上記ステップ１５４は、現時点でＲＡＭ７４の記憶領域δに記憶されている低解像度切取画像に対応する原稿の領域を高解像度読取装置４０Ｂで読み取って得た画像（以下、「高解像度画像」という）が画像形成エンジン部１２０によって記録用紙Ｐに形成された場合の画質が、現時点でＲＡＭ７４の記憶領域δに記憶されている低解像度切取画像が画像形成エンジン部１２０によって記録用紙Ｐに形成された場合の画質よりも良好になる場合にはステップ１５６に移行する。例えば、本実施の形態では、上記ステップ１５４は、上記ステップ１５０で取得された出力解像度が高解像度読取装置４０Ｂの読取解像度に相当する場合にステップ１５４は肯定判定となり、記ステップ１５０で取得された出力解像度が高解像度読取装置４０Ｂの読取解像度に相当しない場合にステップ１５４は否定判定となる。
【００８０】
ステップ１５６では、現時点でＲＡＭ７４の記憶領域δに記憶されている低解像度切取画像の幅（図３Ｂ，図４Ａ，図４Ｂに示すＹ方向の長さ）が高解像度読取装置４０Ｂの読取範囲（一例として最大の読取範囲）よりも広いか否かを判定し、肯定判定となった場合にはステップ１５８に移行する一方、否定判定となった場合にはステップ１６８に移行する。ステップ１５８では、出力解像度に適応する読取装置である高解像度読取装置４０Ｂを読取開始位置まで移動させるように制御した後、ステップ１６０に移行する。ここで言う「読取開始位置」とは、例えば高解像度読取装置４０Ｂの読取範囲の中心と、現時点でＲＡＭ７４の記憶領域δに記憶されている低解像度切取画像に対応する原稿上の領域（以下、「切取画像対応領域」という。）の幅方向（一例としてＹ方向）の中心と、が重なる位置を指す。読取開始位置を特定する方法の一例としては、ＲＡＭ７４の記憶領域δに記憶されている位置情報とプレビュー画面９０Ａに表示された低解像度画像のサイズに対するプラテンガラス２２に載せられている原稿の定型サイズの割合（以下、「予め定められた係数」という。）に基づいて読取開始位置を算出する方法が挙げられる。この場合、例えば、プラテンガラス２２に二次元座標を割り当てておき、ＲＡＭ７４の記憶領域δに記憶されている位置情報の一例である２点の二次元座標のうちの原点に最も近い点の二次元座標に予め定められた係数を乗じることにより読取開始位置を算出する。つまり、ＲＡＭ７４の記憶領域δに記憶されている位置情報に上記の予め定められた係数を乗じることによりその位置情報がプラテンガラス２２上の二次元座標に換算され、換算された二次元座標が読取開始位置として特定される。
【００８１】
ステップ１６０では、高解像度読取装置４０Ｂが読取開始位置に到達するまで待機した後、ステップ１６２に移行する。ステップ１６２では、高解像度読取装置４０Ｂにより切取画像対応領域の読み取りを開始した後、ステップ１６４に移行する。ステップ１６４では、高解像度読取装置４０Ｂによって読み取られた切取画像対応領域を示す画像（以下、「高解像度切取画像」という。）を生成し、生成した高解像度切取画像をＲＡＭ７４の予め定められた記憶領域εに記憶した後、ステップ１６６に移行する。
【００８２】
ステップ１６６では、切取画像対応領域について全領域の読み取りが終了したか否かを判定し、否定判定となった場合にはステップ１６８に移行する。ステップ１６８では、出力解像度に適応する読取装置である高解像度読取装置４０Ｂを読取開始位置まで移動させるように制御した後、ステップ１７０に移行する。ここで言う「読取開始位置」とは、１回目の読み取りについては、例えば切取画像対応領域の幅方向（一例としてＹ方向）のホームポジションに近い側の端を指す。また、２回目以降の読み取りについては、例えば高解像度読取装置４０の読取範囲が前回の読取範囲の終点側の一部（予め定められた画素数分）に始点側が重複する位置を指す。例えば図１４Ａに示すように低解像度切取画像を規定する２点のうちのプレビュー画面９０Ａの原点Ｏに最も近い１点の位置情報である二次元座標を（ｘ、ｙ）とすると、（ｘ，ｙ）が一例として図１４Ｂに示すようにプラテンガラス２２上の対応する二次元座標である（ｘ’，ｙ’）に換算され、（ｘ’，ｙ’）が読取開始位置として特定される。
【００８３】
ステップ１７０では、高解像度読取装置４０Ｂが読取開始位置に到達するまで待機した後、ステップ１７２に移行する。高解像度読取装置４０Ｂにより切取画像対応領域の読み取りを開始した後、ステップ１７４に移行する。ステップ１７４では、高解像度読取装置４０Ｂによって読み取られた切取画像対応領域を示す高解像度切取画像を生成し、生成した高解像度切取画像をＲＡＭ７４の予め定められた記憶領域εに記憶した後、ステップ１６６に戻る。なお、ここでステップ１６６に戻った場合、ステップ１６６では、切取画像対応領域を読み取った幅が切取画像対応領域の幅以上になったか否かを判定することにより切取画像対応領域の全領域を読み取ったか否かを判定することとなる。
【００８４】
ステップ１６６において肯定判定となった場合にはステップ１７６に移行し、読取範囲を一部重複させた読み取り（上記ステップ１６８〜１７４の処理）が実行されたか否かを判定し、肯定判定となった場合にはステップ１７８に移行する。ステップ１７８では、ＲＡＭ７４の記憶領域εに記憶されている複数の高解像度切取画像のうちの隣接する読取動作回を跨ぐ読取動作によって読み取られて得られた一方の読取動作回の高解像度切取画像における他方の読取動作回の高解像度切取画像との重複部分を消去する。ここで一部重複して読み取りを行う理由について説明する。例えば図１５及び図１６に示すように「Ｔ」形状の図形を高解像度読取装置４０Ｂの読取範囲を重複させずに複数回に分けて読み取る場合、１回目の読取動作で読み取られて生成された高解像度切取画像と２回目の読取動作で読み取られて生成された高解像度切取画像とを繋ぎ合わせると、「Ｔ」形状の図形の縦線が２本現れてしまうという事態や「Ｔ」形状の図形の縦線が消えてしまうという事態が生じる虞がある。そこで、本実施の形態では、例えば図１７に示すように上記ステップ１６８〜１７４の処理によって、隣接する読取動作回の各々の読取範囲の一部をあえて重複させて読取動作を実施し、上記ステップ１７８の処理によって隣接する読取動作回の一方の読取動作回の高解像度切取画像における他方の読取動作回の高解像度切取画像との重複部分を消去（破棄）することで、隣接する読取動作回の各々の読取動作によって得られた高解像度切取画像を繋ぎ合わせても「Ｔ」形状の図形が再現されるようにした。なお、図１７に示す例では、隣接する読取動作回の各読取動作によって読取範囲を４画素分だけ重複させて読み取って得られた高解像度切取画像が示されている。
【００８５】
次のステップ１８０では、現在設定されている倍率が等倍（１００％）でなければ現在設定されている倍率に従って、ＲＡＭ７４の記憶領域εに記憶されている高解像度切取画像を拡大又は縮小してから出力先の一例である画像形成エンジン部１２０に出力した後、本画像読取処理プログラムを終了する。また、現在設定されている倍率が等倍であれば、ＲＡＭ７４の記憶領域εに記憶されている高解像度切取画像を拡大及び縮小をせずに画像形成エンジン部１２０に出力した後、本画像読取処理プログラムを終了する。なお、ＲＡＭ７４の記憶領域εに、上記ステップ１６８〜１７４の処理によって得られた複数の高解像度切取画像が記憶されている場合には先に記憶された高解像度切取画像から先に画像形成エンジン部１２０に出力される。画像形成エンジン部１２０は、上記ステップ１８０の処理が実行されることによって出力された高解像度切取画像を記録用紙Ｐに形成する。これにより、例えば図１１に示すプレビュー画面９０Ａを介して指定された切取対象領域は、一例として図１８に示すように記録用紙Ｐに形成される。
【００８６】
一方、上記ステップ１４８，１５２，１５４において否定判定となった場合にはステップ１８２に移行する。ステップ１８２では、現在設定されている倍率が等倍（１００％）でなければ現在設定されている倍率に従って、ＲＡＭ７４の記憶領域δに記憶されている低解像度切取画像を拡大又は縮小してから出力先の一例である画像形成エンジン部１２０に出力した後、本画像読取処理プログラムを終了する。また、現在設定されている倍率が等倍であれば、ＲＡＭ７４の記憶領域δに記憶されている低解像度切取画像を拡大及び縮小をせずに画像形成エンジン部１２０に出力した後、本画像読取処理プログラムを終了する。画像形成エンジン部１２０は、上記ステップ１８２の処理が実行されることによって出力された低解像度切取画像を記録用紙Ｐに形成する。
【００８７】
以上詳細に説明したように、本実施の形態に係る画像読取形成装置１０では、低解像度切取画像の出力先の一例である画像形成エンジン部１２０の出力解像度が低解像度切取画像の解像度よりも高い場合、切取画像対応領域が低解像度切取画像の解像度よりも高い解像度で読み取られ、読み取られて得られた高解像度切取画像が画像形成エンジン部１２０に出力されるので、本構成を有しない場合に比べ、全体画像のうちの出力対象として指定された部分画像が予め定められた画質よりも低画質で出力されるという事態の発生が抑制される。
【００８８】
なお、上記実施の形態では、低解像度読取装置４０Ａ及び高解像度読取装置４０Ｂを用いた場合の形態例を挙げて説明したが、低解像度読取装置４０Ａの他に、低解像度読取装置４０Ａの読取解像度よりも高解像度であり、且つ、各々解像度が異なる複数の読取装置を用いても良い。この場合も上記実施の形態で説明したように出力先の出力解像度に適応する読取装置を用いて切取画像対応領域を読み取って得た高解像度画像を出力先に出力することが好ましい。また、一般的に読取装置は高解像度であるほど読取装置の価格は高いという事実がある。そこで、複数の高解像度読取装置を適用する場合は、高解像度のものほど読取範囲を狭くすることが好ましい。これにより、高解像度のものほど読取範囲を狭くする構成を有しない場合に比べ、最終的に出力される画像の高画質化が低コストで実現される。
【００８９】
また、上記実施の形態では、“読取解像度＜出力解像度”の関係を満たす場合に高解像度読取装置４０Ｂによって切取画像対応領域が読み取られるようにしたが、これに限らず、出力先の出力解像度が画質を低下させる予め定められた解像度であると判定された場合に、現時点で採用されている読取解像度よりも高解像度の読取装置（上記実施の形態では高解像度読取装置４０Ｂ）で読み取りを行うようにしても良い。
【００９０】
また、上記実施の形態では、出力先として画像形成エンジン部１２０を例示したが、これに限らず、ハードディスク装置やフラッシュメモリなどの外部記憶装置及び電文送受信装置を画像読取形成装置１０に搭載し、外部記憶装置及び電文送受信装置も出力先として加えても良い。また、液晶ディスプレイや有機ＥＬディスプレイなどの表示装置を画像読取形成装置１０に接続し、表示装置も出力先として加えても良い。
【００９１】
また、上記実施の形態では、高解像度読取装置４０Ｂの最大読取範囲の広さを低解像度読取装置４０Ａの最大読取範囲の広さの１／３としたが、高解像度読取装置４０Ｂの最大読取範囲の広さを低解像度読取装置４０Ａの最大読取範囲の広さと揃えても良いし、広げても良い。
【００９２】
また、上記実施の形態では、別体とされた低解像度読取装置４０Ａ及び高解像度読取装置４０Ｂを用いたが、読取装置は別体でなくても良い。この場合、異なる読取解像度で読み取りを行う単一の読取装置であれば良い。
【符号の説明】
【００９３】
１０  画像読取形成装置
２４Ａ  ＵＩパネル
４０Ａ  低解像度読取装置
４０Ｂ  高解像度読取装置
７０  ＣＰＵ
１２０  画像形成エンジン部
【図１】
2013175934.tif 000003
【図２】
2013175934.tif 000004
【図４Ａ】
2013175934.tif 000005
【図４Ｂ】
2013175934.tif 000006
【図５】
2013175934.tif 000007
【図８】
2013175934.tif 000008
【図９】
2013175934.tif 000009
【図１０】
2013175934.tif 000010
【図１１】
2013175934.tif 000011
【図１２】
2013175934.tif 000012
【図１３】
2013175934.tif 000013
【図１４Ａ】
2013175934.tif 000014
【図１４Ｂ】
2013175934.tif 000015
【図１５】
2013175934.tif 000016
【図１６】
2013175934.tif 000017
【図１７】
2013175934.tif 000018
【図１８】
2013175934.tif 000019
【図３Ａ】
2013175934.tif 000020
【図３Ｂ】
2013175934.tif 000021
【図６】
2013175934.tif 000022
【図７】
2013175934.tif 000023